(57)【要約】【課題】  建築物の外壁構造物の一体化を図ることができ、建築物の外壁構成の簡素化と施工の簡素化に寄与するプラスチック製外壁材を提供する。【解決手段】  プラスチック製外壁材６は、建築物１の外壁面を構築する中空二重壁構造である。外壁材６の中空部は少なくともその一部が雨樋（縦樋）７を成している。外壁材６の中空部は、雨樋のほかに電力線、通信線、ガス管などの配設部を成している。外壁材６は、複数の部材６ａ、６ｂ、・・・で構成され、複数の部材を積み上げて構築する中空部の各雨樋ごとに嵌合接続する構成である。外壁材６は、建築物のコーナーに対応するように複数枚の壁部材をヒンジで連結して屈曲自在である。【選択図】        図１
2007063855.tif 000002
【特許請求の範囲】
【請求項１】
建築物の外壁面を構築する中空二重壁構造のプラスチック製外壁材であって、
外壁材の中空部は少なくともその一部が雨樋を成していて、建築物の外壁構造物が一体化されている
ことを特徴とするプラスチック製外壁材。
【請求項２】
外壁材の中空部は、雨樋のほかに電力線、通信線、ガス管などの配設部を成していることを特徴とする請求項１記載のプラスチック製外壁材。
【請求項３】
外壁材は、複数の部材で構成され、複数の部材を積み上げて構築する中空部の各雨樋ごとに嵌合接続する構成であることを特徴とする請求項１または２記載のプラスチック製外壁材。
【請求項４】
外壁材は、建築物のコーナーに対応するように複数枚の壁部材をヒンジで連結して屈曲自在であることを特徴とする請求項１、２または３記載のプラスチック製外壁材。
【発明の詳細な説明】
【技術分野】
【０００１】
本発明は、建築物の外壁を構築する中空二重壁構造のプラスチック製外壁材に関するものである。
【背景技術】
【０００２】
建築物の外壁をプラスチック製外壁材で構築することは、従来から種々行われているが、既存の壁の表側に新規壁を既存の雨樋を挟んで構築する壁構造は、特開平１０−２９９２６５号公報に紹介されており、中空二重壁構造のプラスチック製外壁材は、特開平１１−１３１７５０号公報に紹介されいる。なお、中空二重壁構造の外壁材であって建築物のコーナーに対応したものは、特開平１１−２４７４０１号公報に、軒を屋根の勾配に沿って葺くことにより雨樋を構成する屋根材は、特開平１１−２４７３８０号公報にそれぞれ掲載されている。
【特許文献１】特開平１０−２９９２６５号公報
【特許文献２】特開平１１−１３１７５０号公報
【特許文献３】特開平１１−２４７４０１号公報
【特許文献４】特開平１１−２４７３８０号公報
【発明の開示】
【発明が解決しようとする課題】
【０００３】
前掲の特開平１０−２９９２６５号公報に掲載されている外壁材は、既存壁の表側を既存の雨樋を挟んで単に覆うだけのものであり、また特開平１１−１３１７５０号公報に掲載されている外壁材は、中空二重壁構造であっても建築物の外壁面を覆うものであるから、雨樋や種々の配管は外壁に取り付ける工事をしなければならず、いずれも外壁材に雨樋などを一体に構成するものではなく、建築物の外壁構成の簡素化と施工の簡素化に何ら寄与しないものであった。
【０００４】
そこで、本発明は、外壁材を中空二重壁構造とするとともにその中空部は少なくともその一部を雨樋として、建築物の外壁構造物の一体化を図ることができるプラスチック製外壁材を提供することを目的とするものである。
【課題を解決するための手段】
【０００５】
上記目的を達成するための本発明の請求項１に係るプラスチック製外壁材は、建築物の外壁面を構築する中空二重壁構造のプラスチック製外壁材であって、外壁材の中空部は少なくともその一部が雨樋を成していて、建築物の外壁構造物が一体化されていることを特徴とするものである。
【０００６】
また、本発明の請求項２に係るプラスチック製外壁材は、請求項１記載の構成において、外壁材の中空部は、雨樋のほかに電力線、通信線、ガス管などの配設部を成していることを特徴とするものである。
【０００７】
本発明の請求項３に係るプラスチック製外壁材は、請求項１または２記載の構成において、外壁材は、複数の部材で構成され、複数の部材を積み上げて構築する中空部の各雨樋ごとに嵌合接続する構成であることを特徴とするものである。
【０００８】
本発明の請求項４に係るプラスチック製外壁材は、請求項１、２または３記載の構成において、外壁材は、建築物のコーナーに対応するように複数枚の壁部材をヒンジで連結して屈曲自在であることを特徴とするものである。
【発明の効果】
【０００９】
本発明によれば、外壁材を中空二重壁構造とするとともにその中空部は少なくともその一部を雨樋として、建築物の外壁構造物の一体化を図ることができ、建築物の外壁構成の簡素化と施工の簡素化に寄与するものである。
【発明を実施するための最良の形態】
【００１０】
図１は本発明の一実施の形態に係るプラスチック製外壁材により外壁を構築した建築物の斜視図、図２は図１の一部断面図、図３は雨樋部分を示す断面図、図４は図１の一部に対応する断面図、図５は外壁材を構成する部材のうちコーナー部対応の部材を示す斜視図、図６は同じく上面図、図７は同上断面図、図８は同上他の屈曲態様を示す断面図である。
【００１１】
図１ないし図４において、１は建築物、２は屋根、３は外壁、４は雨樋（横樋）であって、外壁３はその基壁５の表面を本発明に係る外壁材６で覆って構築されている。外壁材６は中空二重壁構造のプラスチック製であって、その中空部には雨樋（縦樋）７が構成されていて、雨樋（横樋）４は接続樋８により上記雨樋（縦樋）７に接続されており、雨樋（縦樋）７の下部には外部への排水口となる排水樋９が接続されている。
【００１２】
外壁材６は、複数の部材６ａ、６ｂ、・・・を順次積み上げて構築されるものであり、各部材６ａ、６ｂ、・・・の雨樋（縦樋）７にあたる部分の下端は嵌合突部１１、かつ上端部は嵌合凹部１２を成していて、中空部１０に構成される雨樋（縦樋）７は、各雨樋（縦樋）ごとに嵌合接続されて、上下方向に一連に延びる排水路として構成されるものである。また、外壁材６の中空部１０には、雨樋（縦樋）７のほかに電力線、通信線、ガス管などの配設部１３が構成されている。図示の実施の形態では、この配設部１３は裏面に開口する凹溝を成していて、基壁５に配線、配管した電力線、通信線、ガス管１４などを避ける空間部を形成しているが、この配設部１３は、上下方向に通じる筒状とすることもできる。
【００１３】
図５ないし図７には、外壁材６の複数の部材のうちコーナー部対応のものの１つが示されており、コーナー部の一方の外壁面を構成する部材６ｂと他方の外壁面を構成する部材６ｂは、圧縮薄肉化したヒンジ１５によって連結され、ヒンジ１５の部分で屈曲自在であって、１６、１６は屈曲ストッパ部であって、部材６ｃ、８ｃを屈曲した際に互いに直角に支持され、建築物１のコーナー部に沿わせることができるようになっている。部材６ｂ、６ｂにおいて１７は側縁取付部、１８は上端取付部であり、他の部材６ａ、６ｃ、・・・も略同構成である。このコーナー部対応の部材６ｂ、６ｂは、図８に示すように、図５に示す方向と逆方向に屈曲することができ、建築物１のコーナー部に状態に応じて屈曲方向を選択することができるものである。
【００１４】
本発明に係る外壁材６を構成する樹脂は、引張弾性率が７０００Ｋｇ／ｃｍ2以上の剛性を有するプラスチックが好適であり、高密度ポリエチレン樹脂、中密度ポリエチレン樹脂、ポリプロピレン樹脂、ポリアミド樹脂、ポリエチレンテレフタート樹脂、ポリブチレンテレフタート樹脂、ポリスチレン樹脂、ＡＢＳ樹脂、ポリカーボネート樹脂、変性ポリフェニレンオキサイド樹脂あるいはこれらのブレンド物など、剛性にすぐれたブロー成形可能な熱可塑性樹脂である。
【図面の簡単な説明】
【００１５】
【図１】本発明の一実施の形態に係るプラスチック製外壁材により外壁を構築した建築物の斜視図である。
【図２】図１の一部断面図である。
【図３】雨樋（縦樋）部分を示す断面図である。
【図４】図１の一部に対応する断面図である。
【図５】外壁材を構成する部材のうちコーナー部対応の部材を示す斜視図である。
【図６】同じく上面図である。
【図７】同上断面図である。
【図８】同上他の屈曲態様を示す断面図である。
【符号の説明】
【００１６】
１  建築物
２  屋根
３  外壁
４  雨樋（横樋）
５  基壁
６  外壁材
６ａ、６ｂ、・・・  複数の部材
７  雨樋（縦樋）
８  接続樋
９  排水樋
１０  中空部
１１  嵌合突部
１２  嵌合凹部
１３  電力線、通信線、ガス管などの配設部
１４  電力線、通信線、ガス管
１５  ヒンジ
１６、１６  屈曲ストッパ部
１７  側縁取付部
１８  上端取付部
【図１】
2007063855.tif 000003
【図２】
2007063855.tif 000004
【図３】
2007063855.tif 000005
【図４】
2007063855.tif 000006
【図５】
2007063855.tif 000007
【図６】
2007063855.tif 000008
【図７】
2007063855.tif 000009
【図８】
2007063855.tif 000010